(57)【要約】【課題】扉体の左右方向の傾きを調整することができる機器収納用箱体を提供する。【解決手段】箱体本体２の上枠４の水平部４ａに挿通部４ｃを形成し、水平部４ａから下方に向けて垂設された張出部４ｂに横長形状の長孔４ｄを形成する。また、挿通部４ｃに対向する軸孔５ｃを形成した水平板５ａと、長孔４ｄに対向するネジ孔５ｄを形成した垂直板５ｂとで略Ｌ字状に支持部材５を形成し、支持部材５を上枠４の内側面に当接させ、取付ネジ６を上枠４の長孔４ｄに前面方向から挿通させてネジ孔５ｄに螺合させることにより支持部材５を箱体本体２に固定する。扉体３の上端のピン３ａを上枠４の挿通部４ｃと支持部材５の軸孔５ｃに連続して挿通し、扉体３の下端のピンを下枠の軸孔に挿通させて扉体３を箱体本体２に軸支する。取付ネジ６を緩めると支持部材５を左右方向にスライドさせることができるので扉体３の左右方向の傾きを調整できる。【選択図】図２
2006294709.tif 000002
【特許請求の範囲】
【請求項１】
扉体の上下両端部から突出したピンを箱体本体の上枠と下枠に軸支して前記扉体を回動自在に設けた機器収納用箱体において、前記扉体のピンを軸支する軸孔を形成した支持部材を前記上枠に左右方向にスライド自在に設け、前記支持部材を固定手段により前記上枠に固定可能にしたことを特徴とする機器収納用箱体。
【請求項２】
前記支持部材は前記軸孔が形成された水平板と、前記箱体本体の上枠から下方に向けて垂設された張出部に当接する垂直板とで成り、前記固定手段は前記張出部に横長の長孔を穿設するとともに、前記垂直板にネジ孔を形成し、前記長孔に取付ネジを挿通させて前記垂直板のネジ孔に螺着して前記支持部材を前記上枠に固定することを特徴とする請求項１に記載の機器収納用箱体。
【発明の詳細な説明】
【技術分野】
【０００１】
本発明は、扉体のピンを箱体本体の上枠及び下枠に軸支して扉体を回動自在に設けた機器収納用箱体に関する。
【背景技術】
【０００２】
機器収納用箱体は、内部に電気機器や通信機器などの各種機器を収納する箱体本体の上枠と下枠の端部に軸孔を形成し、この軸孔に扉体の上下両端部に突出したピンを挿入することによりピンを支軸として扉体を開閉自在にしている（例えば、特許文献１参照）。
【０００３】
【特許文献１】特開平１１−１４６５０９号公報（第６図）
【発明の開示】
【発明が解決しようとする課題】
【０００４】
しかしながら、機器収納用箱体は箱体本体の設置状態による変形や、扉体の自重による肩下がりにより、箱体本体と扉体との位置関係がずれるので外観が損なわれるが、扉体の位置調整ができないという問題があった。
【課題を解決するための手段】
【０００５】
本発明は、請求項１に記載の発明によれば、扉体の上下両端部から突出したピンを箱体本体の上枠と下枠に軸支して扉体を回動自在に設けた機器収納用箱体において、扉体のピンを軸支する軸孔を形成した支持部材を上枠に左右方向にスライド自在に設け、支持部材を固定手段により上枠に固定可能にしたことを特徴とする。
【０００６】
請求項２に記載の発明によれば、請求項１に記載の機器収納用箱体において、支持部材は軸孔が形成された水平板と、箱体本体の上枠から下方に向けて垂設された張出部に当接する垂直板とで成り、固定手段は張出部に横長の長孔を穿設するとともに、垂直板にネジ孔を形成し、長孔に取付ネジを挿通させて垂直板のネジ孔に螺着して支持部材を上枠に固定することを特徴とする。
【発明の効果】
【０００７】
請求項１に記載の発明によれば、扉体の左右方向の傾きを調整することができるという効果がある。
【０００８】
請求項２に記載の発明によれば、請求項１に記載の発明の効果に加えて、支持部材を前面方向から調整できるので作業性が良好であるという効果がある。
【発明を実施するための最良の形態】
【０００９】
箱体本体の上枠の水平部に挿通部を形成し、水平部から下方に向けて垂設された張出部に横長形状の長孔を形成する。また、挿通部に対向する軸孔を形成した水平板と、長孔に対向するネジ孔を形成した垂直板とで略Ｌ字状に支持部材を形成し、支持部材を上枠の内側面に当接させ、取付ネジを上枠の長孔に前面方向から挿通させてネジ孔に螺合させることにより支持部材を箱体本体に固定する。扉体の上端のピンを上枠の挿通部と支持部材の軸孔に連続して挿通し、扉体の下端のピンを下枠の軸孔に挿通させて扉体を箱体本体に軸支する。取付ネジを緩めると支持部材は取付ネジが長孔内を移動する範囲において左右方向にスライドさせることができるので扉体の左右方向の傾きを調整できる。
【実施例１】
【００１０】
本発明に係る機器収納用箱体の実施例１を図１〜図３の添付図面に基づいて説明する。
【００１１】
機器収納用箱体１は、内部に各種機器を収納する箱体本体２と、箱体本体２の前面開口部２ａを閉塞する扉体３とで成り、箱体本体２の上枠４には扉体３の上端を支持する支持部材５が設けられる。
【００１２】
箱体本体２の上枠４は天板２ｂの端縁が断面略Ｌ字状に折曲形成し、この水平部４ａの端縁を更に下方に折曲形成して張出部４ｂが垂設された形状に形成されている。支持部材５は上枠４の水平部４ａの内側面に当接する水平板５ａと、張出部４ｂの内側面に当接する垂直板５ｂとで略Ｌ字状に形成され、水平板５ａには扉体３の上端に突設されたピン３ａが挿通する軸孔５ｃが穿設され、垂直板５ｂには取付ネジ６が螺合する２つのネジ孔５ｄが形成されている。
【００１３】
箱体本体２の上枠４は水平部４ａに支持部材５の軸孔５ｃと対向する横長形状の挿通部４ｃが形成され、張出部４ｂにネジ孔５ｄと対向する横長形状の長孔４ｄが形成されており、支持部材５の水平板５ａを上枠４の水平部４ａの内側面に当接させ、垂直板５ｂを上枠４の張出部４ｂの内側面に当接させて、箱体本体２の前面方向から取付ネジ６を上枠４の長孔４ｄに挿通させて支持部材５のネジ孔５ｂに螺合させることにより支持部材５は上枠４に取り付けられている。
【００１４】
また、箱体本体２の下枠７は上枠４と上下対称の形状に形成されるが、挿通部４ｃと長孔４ｄは形成されずに従来と同様に扉体３の下端から突出するピン３ｂが挿通する軸孔７ａだけが形成されている。
【００１５】
このように形成された機器収納用箱体１は、下枠７の軸孔７ａに扉体３の下端のピン３ｂを挿通させて軸支するとともに、上枠４の挿通部４ｃと支持部材５の軸孔５ｃに扉体３の上端のピン３ａを連続して挿通させて軸支することにより、ピン３ａ，３ｂを支軸として扉体３が箱体本体２に回動自在に取り付けられる。
【００１６】
扉体３が箱体本体２に対して左右に傾いている場合は、取付ネジ６を緩めて支持部材５を左右方向にスライドさせることにより、取付ネジ６が長孔４ｄ内を移動する範囲において扉体３の傾きを調整でき、傾きを調整した後は取付ネジ６を締め付けて支持部材５を固定する。
【図面の簡単な説明】
【００１７】
【図１】本発明の機器収納用箱体を示す分解斜視図である。
【図２】図１の要部を拡大した分解斜視図である。
【図３】機器収納用箱体を組み立てた状態の要部を拡大した斜視図である。
【符号の説明】
【００１８】
１    機器収納用箱体
２    箱体本体
３    扉体
３ａ    ピン
４    上枠
４ａ    水平部
４ｂ    張出部
４ｃ    挿通部
４ｄ    長孔
５    支持部材
５ａ    水平板
５ｂ    垂直板
５ｃ    軸孔
５ｄ    ネジ孔
６    取付ネジ
７    下枠
【図１】
2006294709.tif 000003
【図２】
2006294709.tif 000004
【図３】
2006294709.tif 000005